【事件の表示】
　平成　９年特許願第　５５５６０号「ＡＶシステム制御方法、ＡＶシステムコントロール装置」拒絶査定不服審判事件〔平成１０年　９月１１日出願公開、特開平１０−２４１３４８〕について、次のとおり審決する。
【結　論】
　本件審判の請求は、成り立たない。
【理　由】
第１　手続の経緯 
　本願は、平成９年２月２４日の出願であって、平成１５年９月５日付け拒絶理由通知に対して、同年１１月４日付けで意見書及び手続補正書が提出されたが、平成１６年５月１３日付けで拒絶すべき旨の査定がなされ、これに対し、同年６月１７日に拒絶査定不服の審判が請求されるとともに、同年７月１６日付けで手続補正書が提出されたものである。
　
第２　平成１６年７月１６日付けの手続補正についての補正却下の決定 
　
〔補正却下の決定の結論〕
　平成１６年７月１６日付けの手続補正（以下、「本件補正」という。）を却下する。
　
〔理　由〕
１．本件補正前及び本件補正後の本願発明
　本件補正は、明細書全文についてするもので、特許請求の範囲については、本件補正前に、
「　【請求項1】
　複数の情報記録再生装置をＡＶシステムコントロール装置にて制御するＡＶシステム制御方法であって、
　前記複数の情報記録再生装置における何れかの情報記録再生装置にて番組の記録を行う際に、前記ＡＶシステムコントロール装置から前記各情報記録再生装置に動作状態に係る問い合わせを行い、前記各情報記録再生装置からの応答に基づき前記番組を記録する情報記録再生装置を自動的に決定してこの番組の記録を実行し、前記番組の識別情報と記録を実行した情報記録再生装置の識別情報とを関連付けて前記ＡＶシステムコントロール装置に蓄積しておき、
　記録した番組の再生時には、前記ＡＶシステムコントロール装置内に蓄積される前記番組の識別情報と記録を実行した情報記録再生装置の識別情報との関連付けに基づき、再生する番組が記録されている情報記録再生装置を決定してこの番組の再生を実行するようにしたことを特徴とするＡＶシステム制御方法。
　　【請求項2】
　複数の情報記録再生装置をＡＶシステムコントロール装置にて制御するＡＶシステム制御方法であって、
　前記ＡＶシステムコントロール装置に対して入力された、番組の予約記録に関する情報を前記ＡＶシステムコントロール装置内に蓄積しておき、
　前記番組の番組開始時刻に前記ＡＶシステムコントロール装置から前記各情報記録再生装置に動作状態に係る問い合わせを行い、前記各情報記録再生装置からの応答に基づき前記番組を記録する情報記録再生装置を自動的に決定してこの番組の記録を実行し、
　前記番組の番組終了時刻に記録を終了させると共に前記番組の識別情報と記録を実行した情報記録再生装置の識別情報とを関連付けて前記ＡＶシステムコントロール装置に蓄積しておき、
　記録した番組の再生時には、前記ＡＶシステムコントロール装置内に蓄積される前記番組の識別情報と記録を実行した情報記録再生装置の識別情報との関連付けに基づき、再生する番組が記録されている情報記録再生装置を決定してこの番組の再生を実行するようにしたことを特徴とするＡＶシステム制御方法。
　　【請求項3】
　前記ＡＶシステムコントロール装置から前記各情報記録再生装置に動作状態に係る問い合わせと共に記録可能な残量に係る問い合わせを行い、前記各情報記録再生装置からの応答に基づき前記番組を記録する情報記録再生装置を自動的に決定するようにしたことを特徴とする請求項１又は２に記載のＡＶシステム制御方法。
　　【請求項4】
　複数の情報記録再生装置を制御するＡＶシステムコントロール装置であり、
　前記複数の情報記録再生装置における何れかの情報記録再生装置にて番組の記録を行う際に、前記各情報記録再生装置に動作状態に係る問い合わせを行い、前記各情報記録再生装置からの応答に基づき前記番組を記録する情報記録再生装置を自動的に決定する記録装置決定手段と、
　前記記録装置決定手段により決定された情報記録再生装置に番組の記録を実行させる制御手段と、
　前記記録した番組の識別情報と記録を実行した情報記録再生装置の識別情報とを関連付けて関連情報として蓄積する蓄積手段と、
　記録した番組の再生時に、前記蓄積手段に蓄積される関連情報に基づき再生する番組が記録されている情報記録再生装置を決定してこの番組の再生を実行させる再生装置制御手段と
　を有することを特徴とするＡＶシステムコントロール装置。」
とあったものを、
「　【請求項1】
　所定の伝送路を介して接続される複数の情報記録再生装置をＡＶシステムコントロール装置にて制御するＡＶシステム制御方法であって、
　前記複数の情報記録再生装置における何れかの情報記録再生装置にて番組の記録を行う際に、前記ＡＶシステムコントロール装置から前記各情報記録再生装置に動作状態に係る問い合わせを行い、前記各情報記録再生装置からの応答に基づき前記番組を記録する情報記録再生装置を自動的に決定してこの番組の記録を実行し、前記番組の識別情報と記録を実行した情報記録再生装置の識別情報とを関連情報として前記ＡＶシステムコントロール装置に蓄積しておき、
　記録した番組の再生時には、記録番組一覧から選択される再生番組が記録されている情報記録再生装置を、前記関連情報に基づき決定して、この再生番組の再生を実行するようにしたことを特徴とするＡＶシステム制御方法。
　　【請求項2】
　所定の伝送路を介して接続される複数の情報記録再生装置をＡＶシステムコントロール装置にて制御するＡＶシステム制御方法であって、
　前記ＡＶシステムコントロール装置に対して入力された、番組の予約記録に関する情報を前記ＡＶシステムコントロール装置内に蓄積しておき、
　前記番組の番組開始時刻に前記ＡＶシステムコントロール装置から前記各情報記録再生装置に動作状態に係る問い合わせを行い、前記各情報記録再生装置からの応答に基づき前記番組を記録する情報記録再生装置を自動的に決定してこの番組の記録を実行し、
　前記番組の番組終了時刻に記録を終了させると共に前記番組の識別情報と記録を実行した情報記録再生装置の識別情報とを関連情報として前記ＡＶシステムコントロール装置に蓄積しておき、
　記録した番組の再生時には、記録番組一覧から選択される再生番組が記録されている情報記録再生装置を、前記関連情報に基づき決定して、この再生番組の再生を実行するようにしたことを特徴とするＡＶシステム制御方法。
　　【請求項3】
　前記ＡＶシステムコントロール装置から前記各情報記録再生装置に動作状態に係る問い合わせと共に記録可能な残量に係る問い合わせを行い、前記各情報記録再生装置からの応答に基づき前記番組を記録する情報記録再生装置を自動的に決定するようにしたことを特徴とする請求項１又は２に記載のＡＶシステム制御方法。
　　【請求項4】
　所定の伝送路を介して接続される複数の情報記録再生装置を制御するＡＶシステムコントロール装置であり、
　前記複数の情報記録再生装置における何れかの情報記録再生装置にて番組の記録を行う際に、前記各情報記録再生装置に動作状態に係る問い合わせを行い、前記各情報記録再生装置からの応答に基づき前記番組を記録する情報記録再生装置を自動的に決定する記録装置決定手段と、
　前記記録装置決定手段により決定された情報記録再生装置に番組の記録を実行させる制御手段と、
　前記記録した番組の識別情報と記録を実行した情報記録再生装置の識別情報とを関連情報として蓄積する蓄積手段と、
　記録した番組の再生時に、記録番組一覧から選択される再生番組が記録されている情報記録再生装置を、前記関連情報に基づき決定して、この再生番組の再生を実行させる再生装置制御手段と
　を有することを特徴とするＡＶシステムコントロール装置。」
と補正しようとするものである。
　
　すると、本件補正は、各請求項において、「複数の情報記録再生装置」が「所定の伝送路を介して接続される」ものであること、「番組の識別情報と記録を実行した情報記録再生装置の識別情報とを関連」させたものが「関連情報」であること、「再生番組」が「記録番組一覧から選択される」ものであること、及び、再生を実行する情報記録再生装置の「決定」が「関連情報に基づき」なされることを限定するものであるから、特許法第１７条の２第４項第２号の特許請求の範囲の減縮を目的とするものに該当する。 
　そこで、本件補正後における特許請求の範囲に記載されている事項により特定される発明が特許出願の際独立して特許を受けることができるものであるか（特許法第１７条の２第５項において準用する同法第１２６条第５項に規定する要件を満たすか）否かを、請求項１に係る発明（以下、「本願補正発明」という。）について以下に検討する。
　
２．引用例
（１）第１引用例
　これに対して、原査定の拒絶の理由に引用された、本願出願前に頒布された刊行物である特開平４−６０４９８号公報（以下、「第１引用例」という。）には、図面とともに以下の技術事項が記載されている。
　
（ａ）
「本発明は、複数のＡＶ機器を総合的に動作制御するのに好適なＡＶ機器コントローラに関する。」（１頁右欄２行〜同欄３行）
　
（ｂ）
「第１図には、本発明が適用されたコントローラ（１）と、コントローラ（１）により動作制御される各種ＡＶ機器系（５０）とがシステムブロック図で示されている。
　
コントローラ（１）は、マイクロコンピュータ（制御手段）（３）を主体として構成され
バスラインを介してＡＶ機器系（５０）を動作制御する
　また、ＡＶ機器系（５０）の動作開始時に必要な操作信号はスタート用バッファ（９）に格納される一方、動作終了時に必要な操作信号はストップ用バッファ（１１）に格納されるとともに、必要に応じてテレビモニタ（１３）に制御内容等が画面表示される（第３図参照）。
　一方、
ＡＶ機器系（５０）は、
ＶＴＲ−Ａ（５０ｂ）、ＶＴＲ−Ｂ（５０ｃ）
　
（ｃ）
第１図には、ＶＴＲ−Ａ（５０ｂ）、ＶＴＲ−Ｂ（５０ｃ）等のＡＶ機器系（５０）がバスラインを介して接続されたものが図示されている
　
（ｄ）
「次に、第２図から理解されるように、リモコン（１００）は、所定操作に対応する情報が赤外線に変換されて受光部（７）で受光される構成とされており、コントローラ（１）で行なわせる各種制御内容（操作信号）が入力可能とされている。
　そこで、
リモコン（１００）により
（１）
「月曜日の午後９時から１０時５４分まで、ＢＳチューナ（５０ｅ）の１５チャンネルを、ＶＴＲ−Ａ（５０ｂ）に標準スピードで録画させる」場合
（i）タイマーボタン（１５０）を押すと、テレビモニタ（１３）に、現在のタイマーの利用状況が画面表示される。
　画面表示の内容は、第３図から理解されるように、予約番号表示エリア（５００）、曜日表示エリア（５１０）、午前、午後の別表示エリア（５２０）、動作開始時刻表示エリア（５３０）、表示エリア（５３０）に対応するＡＶ機器の別と動作条件表示エリア（５５０）、動作終了時刻表示エリア（５４０）、および表示エリア（５４０）に対応するＡＶ機器の別と動作条件表示エリア（５６０）とされる。
　この場合、タイマーは、ＶＴＲ−Ａ（５０ｂ）またはＶＴＲ−Ｂ（５０ｃ）に内蔵されたタイマー（６０）が利用され、タイマー（６０）では動作開始時刻と動作終了時刻とが一組入力されると、入力された組の順序を示す予約番号と、その一組の時刻とが記憶される。
　そして、タイマーボタン（１５０）が押されると、その記憶された予約番号と一組の時刻とが、マイクロコンピュータ（３）により読み出され、表示エリア（５００）、（５３０）、（５４０）に各々表示される。
（ii）曜日ボタン群（２１０）のうち、「月曜日」のボタン（２１０ａ）が押されると、表示エリア（５１０）に「月曜」と表示され、「午後」を選択するＰＭボタン（２３０）が押されると、表示エリア（５２０）に「ＰＭ」と表示される。」
　なお、「曜日」と「午前」、「午後」の別もタイマー（６０）側の記憶回路に記憶される。
（iii）動作開始時刻は、テンキー（１６０）とボタン（１８０）とが「９」、「：」、「０」、「０」の順で押されるとともに、最後に確定ボタン（２００）が押されると入力が完了する（時刻入力手段）。
　なお、動作終了時刻も同様の手順で行なえる。
（iv）ＢＳチューナ（５０ｅ）は、ＡＶ機器選択ボタン群（選択手段）（１１０）のうち、ボタン（１１０ａ）が押されると選択され、その動作条件（この場合はチャンネル設定）は、テンキー（１６０）が「１」、「５」の順で押された後、ボタン（１９０）が押されると入力が完了する（設定手段）。
（v）
ＶＴＲ−Ａ（５０ｂ）は、ボタン（１１０ｂ）が押されると選択され、
最後に確定ボタン（２００）が押されると設定され（設定手段）、
（vi）動作終了時刻での動作条件等は、同様にしてＶＴＲ−Ａ（５０ｂ）を選択し、ストップボタン（１２０ｃ）、巻き戻しボタン（１２０ｄ）、確定ボタン（２００）がこの順で押されると設定され、その設定内容は表示エリア（５６０）に表示される。
　なお、動作開始時刻においては、ＢＳチューナ（５０ｅ）、ＶＴＲ−Ａ（５０ｂ）、およびＡＶセレクタ（５０Ａ）の電源がオンとされるとともに、ＡＶセレクタ（５０Ａ）が、ＢＳチューナ（５０ｅ）の出力信号をＶＴＲ−Ａ（５０ｂ）に入力させるように制御される一方、動作終了時刻においては、各々の電源がオフ（ＶＴＲ−Ａ（５０ｂ）は巻き戻し後）される制御が必要であるが、これら当然行なわれる制御の処理手順は、動作条件が設定されるとマイクロコンピュータ（３）により、自動的に設定される。
　以上のようにして、リモコン（１００）により、予約番号１の内容が設定され、
動作開始時刻になると、
　そこで、
マイクロコンピュータ（３）では、
　次に、ＢＳチューナ（５０ｅ）の出力信号がＶＴＲ−Ａ（５０ｂ）に入力されるようにＡＶセレクタ（５０Ａ）を切り換え動作させるとともに、
ＶＴＲ−Ａ（５０ｂ）の録画を標準スピードで開始させる
　そして、設定された動作終了時刻になると、タイマー（６０）からのトリガー（動作終了指令信号）がマイクロコンピュータ（３）に取り込まれるので、マイクロコンピュータ（３）は、ＢＳチューナ（５０ｅ）とＡＶセレクタ（５０Ａ）の電源をオフとするとともに、ＶＴＲ−Ａ（５０ｂ）をストップさせ、テープを巻き戻す動作を開始させる。
　そして、テープの巻き戻しが完了すると、ＶＴＲ−Ａ（５０ｂ）の電源がオフとされ、予約番号１に対する処理が終了される。」（３頁左上欄６行〜４頁右上欄１２行）
　
　上記第１引用例記載事項及び図面を総合勘案すると、第１引用例には、結局、次の発明（以下、「引用発明」という。）が記載されている。
　
「バスラインを介して接続されるＶＴＲ−Ａ（５０ｂ）、ＶＴＲ−Ｂ（５０ｃ）等のＡＶ機器系（５０）をマイクロコンピュータ（３）を主体として構成されるコントローラ（１）で動作制御するＡＶ機器系（５０）の制御方法において、
　例えば、月曜日の午後９時から１０時５４分までＢＳチューナ（５０ｅ）の１５チャンネルをＶＴＲ−Ａ（５０ｂ）に標準スピードで録画させる場合には、
　リモコン（１００）を用いてＶＴＲ−Ａ（５０ｂ）を選択、設定し、
　動作開始時刻になるとマイクロコンピュータ（３）は、ＶＴＲ−Ａ（５０ｂ）の録画を標準スピードで開始させるようにしたＡＶ機器系（５０）の制御方法。」
　
（２）第２引用例
　また、同じく原査定の拒絶の理由に引用された、本願出願前に頒布された刊行物である特開平８−３０５７２５号公報（以下、「第２引用例」という。）には、図面とともに以下の技術事項が記載されている。
　
（ｅ）
「【０００１】
【産業上の利用分野】本発明は、画像情報と検索情報とを対応づけて記憶装置に登録し、登録された複数の画像情報の中から所望の画像情報を検索して読み出す
画像情報処理装置
　
（ｆ）
「【０００５】ところで、コンピュータシステム・周辺機器の技術革新及び入出力インタフェースの標準化により、利用者が必要に応じてハードディスク、光磁気ディスク、ＣＤ−ＲＯＭ、プリンタなどを自由に選択し、接続できるコンピュータシステムが実現している。一部のコンピュータシステムでは接続されている記憶装置（以下、ドライブという）に一意の名称（以下、ドライブ名という）を付加し管理している。例えばフロッピーディスクドライブとハードディスクドライブと光磁気ディスクドライブが１台づつ接続されている場合において、ドライブ名を前記の順に「Ａ：」、「Ｂ：」、「Ｃ：」と特定することにより管理する。利用者はこれらの記憶媒体をかかるドライブ名の特定により利用し、記憶装置、媒体の相違を意識しないで利用することが可能である。
【０００６】コンピュータシステムの高速化、低価格化により画像情報処理装置を前記コンピュータシステムを用いて実現したシステムが増加している。前記の３台の記憶装置を有するシステム構成を持つ場合には、検索情報を光磁気ディスクに比して入出力速度が高速であることを特徴とするハードディスクに記録し、画像情報をハードディスクに比して大容量であることを特徴とする光磁気ディスクに記録することにより、情報量の多い画像情報を効率的に管理することができる。
【０００７】尚、検索情報には個々の画像情報を管理するために付加された文書名、登録日付、キーワード、並びに画像のサイズ、解像度、符号化方式、使用容量などの属性や、及び該画像情報が記録されたファイルの名称として画像ファイル名称が、含まれている。画像情報を検索して読み出す場合には、前記検索情報のなかから文書名、キーワードなどにより画像情報を特定し、画像ファイル名、画像の属性を用いて読み出す。
画像ファイル名は、例えば「Ｃ：ＤＯＣ００００１．ＩＭＧ」のようにドライブ名とファイル名とから構成されている。「Ｃ：」の部分が例えば光磁気ディスクドライブなどのドライブ名を示している。これにより光磁気ディスクに記憶された正しい画像ファイルにアクセスすることが可能となる
　
３．対比 
　そこで、本願補正発明と引用発明とを対比する。
　引用発明における「バスライン」「ＶＴＲ−Ａ（５０ｂ）及びＶＴＲ−Ｂ（５０ｃ）」「マイクロコンピュータ（３）を主体として構成されるコントローラ（１）」及び「ＡＶ機器系（５０）の制御方法」は、本願補正発明における「所定の伝送路」「複数の情報記録再生装置」「ＡＶシステムコントロール装置」及び「ＡＶシステム制御方法」にそれぞれ相当する。
　引用発明における「例えば、月曜日の午後９時から１０時５４分までＢＳチューナ（５０ｅ）の１５チャンネルをＶＴＲ−Ａ（５０ｂ）に標準スピードで録画させる場合」は、本願補正発明における「複数の情報記録再生装置における何れかの情報記録再生装置にて番組の記録を行う際」に相当する。
　引用発明における「リモコン（１００）を用いてＶＴＲ−Ａ（５０ｂ）を選択、設定し」は、本願補正発明における「番組を記録する情報記録再生装置を決定して」に相当する。
　引用発明における「動作開始時刻になるとマイクロコンピュータ（３）は、ＶＴＲ−Ａ（５０ｂ）の録画を標準スピードで開始させる」は、本願補正発明における「この番組の記録を実行し」に相当する。
　すると、本願補正発明と引用発明は、次の点で一致する。
＜一致点＞
「所定の伝送路を介して接続される複数の情報記録再生装置をＡＶシステムコントロール装置にて制御するＡＶシステム制御方法であって、
　前記複数の情報記録再生装置における何れかの情報記録再生装置にて番組の記録を行う際に、前記番組を記録する情報記録再生装置を決定してこの番組の記録を実行する、ＡＶシステム制御方法。」
　
　一方、両者は次の各点で相違する。
（相違点１）
　本願補正発明は、番組の記録を行う際に、ＡＶシステムコントロール装置から各情報記録再生装置に動作状態に係る問い合わせを行い、番組を記録する情報記録再生装置の決定を、各情報記録再生装置からの応答に基づき自動的に行うのに対し、引用発明は、番組を記録する情報記録再生装置の決定をリモコン（１００）を用いて行う点。
　
（相違点２）
　本願補正発明は、番組の識別情報と記録を実行した情報記録再生装置の識別情報とを関連情報としてＡＶシステムコントロール装置に蓄積しておき、記録した番組の再生時には、記録番組一覧から選択される再生番組が記録されている情報記録再生装置を、関連情報に基づき決定して、この再生番組の再生を実行するようにしたものであるのに対し、引用発明は、このような事項について、特段の開示がない点。
　
４．判断
（相違点１について）
　複数の情報記録再生手段を制御手段で制御するシステムにおいて、情報の記録を行う際に、制御手段が各情報記録再生手段の動作状態を検出し、その結果に応じて、すなわち、制御手段が各情報記録再生手段に問い合わせをし、その応答に基づいて、記録する情報記録再生手段を制御手段が自動的に決定することは、例えば、実願平２−４７１５７号（実開平４−６８９８号）のマイクロフィルム（具体的には、複数のデッキを有するビデオテープレコーダにおいて、テープの有無を順次調べてテープが装着されたデッキを自動的に選択して録画する技術。）、特開平８−６５６２１号公報（具体的には、複数種類のメモリ手段を有するマルチメディア記録装置において、各メモリ手段について記録可能容量等の検出を行い、記録する情報に応じて最適なメモリ手段を自動的に選択して記録を行う技術。）にあるように、本願出願前に周知技術であるから、引用発明においても、番組の記録を行う際に、ＡＶシステムコントロール装置から各情報記録再生装置に動作状態に係る問い合わせを行い、番組を記録する情報記録再生装置の決定を、各情報記録再生装置からの応答に基づき自動的に行うようにすることは、当業者が容易に想到し得ることである。
　
（相違点２について）
　情報記録再生装置で情報を記録した際に、記録した情報を識別可能にする情報（例えば、ファイル名）と、記録を実行した情報記録再生装置を識別可能にする情報（例えば、ドライブ名）とを関連情報として制御装置に蓄積しておき、記録した情報を再生する時には、その関連情報に基づいて、再生する情報が記録されている情報記録再生装置を決定し、再生を実行させることは、第２引用例に開示される画像情報処理装置を以て例示するように、複数の情報記録再生装置を接続したシステムにおいて普通に行われていることであるから、引用発明においても、番組の識別情報と記録を実行した情報記録再生装置の識別情報とを関連情報としてＡＶシステムコントロール装置に蓄積しておき、記録した番組の再生時には、再生番組が記録されている情報記録再生装置を、関連情報に基づき決定して、この再生番組の再生を実行するようにすることは、当業者が容易に想到し得ることである。
　また、再生番組を記録番組一覧から選択することは、例えば、特開平４−１０５２８５号公報、特開平７−３７３６９号公報、特開平６−３０９８４８号公報、特開平７−２６２６４５号公報、特開平６−２３６５９２号公報等にあるように周知技術であるから、再生番組を記録番組一覧から選択されるものとすることも、当業者が適宜なし得る程度のことである。
　
５．本件補正についての結び
　以上のとおり、本願補正発明は、特許法第２９条第２項の規定により、特許出願の際独立して特許を受けることができないものであるから、本件補正は、特許法第１７条の２第５項で準用する同法第１２６条第５項に規定する要件を満たさないものであり、特許法第１５９条第１項で読み替えて準用する同法第５３条第１項の規定により却下すべきものである。
　
第３　本願発明について
１．本願発明 
　平成１６年７月１６日付けの手続補正は上記のとおり却下されたので、本願の請求項１乃至４に係る発明は、平成１５年１１月４日付け手続補正により補正された明細書の特許請求の範囲の請求項１乃至４に記載されたとおりのものであるところ、請求項１に係る発明（以下、「本願発明」という。）は、上記「第２〔理　由〕１．」に、本件補正前の請求項１として掲げたとおりのものである。
　
２．引用例
　原査定の拒絶の理由に引用された引用例及びその記載事項は、前記「第２　〔理由〕２．」に記載したとおりである。 
　
３．対比・判断 
　本願発明は、上記「第２　〔理由〕」で検討した本願補正発明から、「複数の情報記録再生装置」が「所定の伝送路を介して接続される」ものであること、「番組の識別情報と記録を実行した情報記録再生装置の識別情報とを関連」させたものが「関連情報」であること、「再生番組」が「記録番組一覧から選択される」ものであること、及び、再生を実行する情報記録再生装置の「決定」が「関連情報に基づき」なされることの限定を削除したものに相当する。
　そうすると、本願発明の構成要件を全て含み、更に他の要件を付加したものに相当する本願補正発明が前記「第２　〔理由〕４．」に記載したとおり、第１引用例及び第２引用例に記載された発明並びに周知技術等に基づいて、当業者が容易に発明をすることができたものであるから、本願発明も、同様の理由により、第１引用例及び第２引用例に記載された発明並びに周知技術等に基づいて当業者が容易に発明をすることができたものである。 
　 
４．むすび 
　以上のとおり、本願の請求項１に係る発明は、特許法第２９条第２項の規定により特許を受けることができないものであるから、本願は、その余の請求項について論及するまでもなく、拒絶すべきものである。
　よって、結論のとおり審決する。